【手続補正書】
【提出日】令和2年9月24日(2020.9.24)
【手続補正１】
【補正対象書類名】特許請求の範囲
【補正対象項目名】全文
【補正方法】変更
【補正の内容】
【特許請求の範囲】
【請求項１】
記録手段から第１、第２、第３インクを吐出することにより記録媒体上に画像を記録する記録装置であって、
前記第１インクは、色材を含有し、
前記第２インクは、色材を含有せず、樹脂エマルジョンを含有し、
前記第３インクは、色材を含有せず、前記第１インクと反応する反応性成分を含有し、
前記第２インクが前記第１インクよりも多く吐出され且つ前記第３インクが前記第１インクよりも多く吐出される第１工程と、
前記第１工程の後に、前記第１インクが前記第２インクよりも多く吐出され且つ前記第３インクよりも多く吐出される第２工程と、
前記第２工程の後に、前記第２インクが前記第１インクよりも多く吐出され且つ前記第３インクよりも多く吐出される第３工程と、
を実行することにより記録媒体上の所定領域に画像を記録することを特徴とする記録装置。
【請求項２】
前記第１工程において前記第１インクを吐出せず、
前記第２工程において前記第２インクと前記第３インクを吐出せず、
前記第３工程において前記第１インクと前記第３インクを吐出しないことを特徴とする請求項１に記載の記録装置。
【請求項３】
前記記録手段を前記所定領域に対して複数回走査させる走査手段を更に有することを特徴とする請求項１または２に記載の記録装置。
【請求項４】
前記第１工程において、前記複数回の走査のうちの最初の走査から前記第１走査までの走査では、前記所定領域に対して前記第２インクと前記第３インクそれぞれを前記第１インクよりも多く吐出し、
前記第２工程において、前記複数回の走査のうちの前記第１走査から第２走査までの走査では、前記所定領域に対して前記第１インクを前記第２インクと前記第３インクそれぞれよりも多く吐出し、
前記第３工程において、前記複数回の走査のうちの前記第２走査から最後の走査までの走査では、前記所定領域に対して前記第２インクを前記第１インクと前記第３インクそれぞれよりも多く吐出することを特徴とする請求項３に記載の記録装置。
【請求項５】
前記所定領域に対して第１回数の走査によって記録を行う場合、前記第１工程、前記第２工程、前記第３工程を前記所定領域に対してこの順番で行い、
前記所定領域に対して前記第１回数よりも少ない第２回数の走査によって記録を行う場合、前記第１工程、前記第２工程、前記第３工程と異なる工程を前記所定領域に対して行うことを特徴とする請求項３または４に記載の記録装置。
【請求項６】
前記第１工程、前記第２工程、前記第３工程と異なる工程において、前記複数回の走査それぞれでは、前記第１インク、前記第２インク、前記第３インクのすべてを吐出することを特徴とする請求項５に記載の記録装置。
【請求項７】
前記第３インクに含有される反応性成分は、前記第１インクに含有される色材を凝集またはゲル化させる性質を有することを特徴とする請求項１から６のいずれか１項に記載の記録装置。
【請求項８】
前記第３インクに含有される反応性成分は、前記第２インクに対する反応性の方が前記第１インクに対する反応性よりも低いことを特徴とする請求項１から７のいずれか１項に記載の記録装置。
【請求項９】
前記第２インクに含有される樹脂エマルジョンは、加熱により皮膜化する性質を有することを特徴とする請求項１から８のいずれか１項に記載の記録装置。
【請求項１０】
インクが吐出された後の記録媒体を加熱する加熱手段を更に有することを特徴とする請求項９に記載の記録装置。
【請求項１１】
前記記録媒体は、ブリストー法によるインクが付与されてから３０ｍｓｅｃ１／２が経過するまでの吸水量が１０ｍｌ・ｍ−２よりも少ないことを特徴とする請求項１から１０のいずれか１項に記載の記録装置。
【請求項１２】
前記記録媒体は、ポリ塩化ビニルの層が形成されていることを特徴とする請求項１から１１のいずれか１項に記載の記録装置。
【請求項１３】
前記第１インクは、アニオン性基を有する水溶性樹脂を更に含有し、
前記第３インクは、アニオン性基を有する水溶性樹脂を更に含有し、
前記第２インクに含有される前記反応性成分のｐＫａは、前記第１インクに含有される前記水溶性樹脂の前記アニオン性基のｐＫａよりも小さく、且つ、前記第３インクに含有される前記水溶性樹脂の前記アニオン性基のｐＫａよりも大きいことを特徴とする請求項１から１２のいずれか１項に記載の記録装置。
【請求項１４】
前記第２インクに含有される前記反応性成分は、有機酸であることを特徴とする請求項１から１３のいずれか１項に記載の記録装置。
【請求項１５】
前記第２インクに含有される前記反応性成分は、グルタル酸であることを特徴とする請求項１４に記載の記録装置。
【請求項１６】
前記第３インクに含有される前記水溶性樹脂は、スルホン酸基またはリン酸基を有することを特徴とする請求項１３から１５のいずれか１項に記載の記録装置。
【請求項１７】
前記第１インクに含有される前記水溶性樹脂は、カルボキシル基を有することを特徴とする請求項１３から１６のいずれか１項に記載の記録装置。
【請求項１８】
複数の種類の記録媒体に記録可能であって、
第１記録媒体に記録を行う場合には、前記第２インクと前記第３インクは用いずに、前記第１インクを用いて、前記第１工程、前記第２工程、前記第３工程と異なる工程を前記第１記録媒体上の所定領域に対して行い、
記第１記録媒体と種類が異なり、前記第１記録媒体よりも液体の浸透性が低い第２記録媒体に記録を行う場合には、前記第１インク、前記第２インク、前記第３インクのすべてを用いて、前記第１工程、前記第２工程、前記第３工程を前記第２記録媒体上の所定領域に対してこの順番で行うことを特徴とする請求項１から１７のいずれか１項に記載の記録装置。
【請求項１９】
前記第１記録媒体は、普通紙または光沢紙であって、
前記第２記録媒体は、ポリ塩化ビニルの層が形成されていることを特徴とする請求項１８に記載の記録装置。
【請求項２０】
記録手段から第１、第２、第３インクを吐出することにより記録媒体上に画像を記録する記録方法であって、
前記第１インクは、色材を含有し、
前記第２インクは、色材を含有せず、樹脂エマルジョンを含有し、
前記第３インクは、色材を含有せず、前記第１インクと反応する反応性成分を含有し、
前記第２インクが前記第１インクよりも多く吐出され且つ前記第３インクが前記第１インクよりも多く吐出される第１工程と、
前記第１工程の後に、前記第１インクが前記第２インクよりも多く吐出され且つ前記第３インクよりも多く吐出される第２工程と、
前記第２工程の後に、前記第２インクが前記第１インクよりも多く吐出され且つ前記第３インクよりも多く吐出される第３工程と、
を実行することにより記録媒体上の所定領域に画像を記録することを特徴とする記録方法。
【請求項２１】
記録手段から第１、第２、第３インクを吐出することにより記録媒体上に画像を記録する記録装置であって、
前記第１インクは、画像を形成するための色材を含有し、
前記第２インクは、樹脂エマルジョンを含有し、
前記第３インクは、前記第１インクと反応する反応性成分を含有し、
前記第２インクが前記第１インクよりも多く吐出され且つ前記第３インクが前記第１インクよりも多く吐出される第１工程と、
前記第１工程の後に、前記第１インクが前記第２インクよりも多く吐出され且つ前記第３インクよりも多く吐出される第２工程と、
前記第２工程の後に、前記第２インクが前記第１インクよりも多く吐出され且つ前記第３インクよりも多く吐出される第３工程と、
を実行することにより記録媒体上の所定領域に画像を記録することを特徴とする記録装置。
【請求項２２】
前記第２インク及び前記第３インクは、色材を含有しない、もしくは、画質に寄与しない程度の色材を含有することを特徴とする請求項２１に記載の記録装置。
【手続補正２】
【補正対象書類名】明細書
【補正対象項目名】００１５
【補正方法】変更
【補正の内容】
【００１５】
そこで、本発明は記録手段から第１、第２、第３インクを吐出することにより記録媒体上に画像を記録する記録装置であって、前記第１インクは、色材を含有し、前記第２インクは、色材を含有せず、樹脂エマルジョンを含有し、前記第３インクは、色材を含有せず、前記第１インクと反応する反応性成分を含有し、前記第２インクが前記第１インクよりも多く吐出され且つ前記第３インクが前記第１インクよりも多く吐出される第１工程と、前記第１工程の後に、前記第１インクが前記第２インクよりも多く吐出され且つ前記第３インクよりも多く吐出される第２工程と、前記第２工程の後に、前記第２インクが前記第１インクよりも多く吐出され且つ前記第３インクよりも多く吐出される第３工程と、を実行することにより記録媒体上の所定領域に画像を記録することを特徴とする記録装置。